(57)【要約】【課題】本発明は、閉じ位置にロック可能な扉を利用してカバーの取り外しを阻止することができ、セキュリティの強化に役立つ電子機器を得ることにある。【解決手段】電子機器は、一端に開口（２６）を有する筐体（３）と、筐体の一端に支持され、その開口を閉じる閉じ位置にロック可能な扉（４）とを備えている。筐体は、ＣＤ−ＲＯＭ駆動装置（２１）のような機能部品および扉を支持するベース（５）と、ベースに取り外し可能に連結されたカバー（６）とを含んでいる。カバーは、扉の方向にスライドさせることでベースから外れるとともに、扉から遠ざかる方向にスライドさせることでベースに引っ掛かる。扉は、閉じ位置にロックされている限り、カバーがベースから外れる方向へのカバーのスライドを制限している。【選択図】  図５
2004265999.tif 000002
【特許請求の範囲】
【請求項１】
一端に開口を有する筐体と、
上記筐体に収容された機能部品と、
上記筐体の一端に支持され、上記開口を閉じる閉じ位置と、上記開口を開く開き位置との間で移動可能であるとともに、上記閉じ位置にロック可能な扉と、を具備し、
上記筐体は、上記機能部品および上記扉を支持するベースと、このベースに取り外し可能に連結されたカバーとを含み、このカバーは、上記扉の方向にスライドさせることで上記ベースから外れるとともに、上記扉から遠ざかる方向にスライドさせることで上記ベースに引っ掛かり、上記扉は、上記閉じ位置にロックされている限り、上記カバーが上記ベースから外れる方向への上記カバーのスライドを制限することを特徴とする電子機器。
【請求項２】
請求項１の記載において、上記ベースは、上記カバーのスライド方向に間隔を存して配置された複数の係合孔を有するとともに、上記カバーは、上記係合孔に挿入される複数の係合片を有し、これら係合片は、上記扉から遠ざかる方向に張り出す延出部を有することを特徴とする電子機器。
【請求項３】
請求項２の記載において、上記延出部は、上記係合片を上記係合孔に挿入した状態で上記カバーを上記扉から遠ざかる方向にスライドさせることにより上記係合孔の開口縁部に引っ掛かることを特徴とする電子機器。
【請求項４】
請求項２又は請求項３の記載において、上記ベースは、互いに向かい合う一対の側板を有し、これら側板の端部に上記係合孔が一列に並んで開口されているとともに、上記カバーは、上記側板の端部に重なり合う一対のフランジ部を有し、これらフランジ部に上記係合片が形成されていることを特徴とする電子機器。
【請求項５】
請求項１ないし請求項３のいずれかの記載において、上記カバーは、上記扉を外れた位置で上記ベースにねじを介して固定されていることを特徴とする電子機器。
【請求項６】
請求項１の記載において、上記ベースは、上記扉と向かい合う一端に係合爪を有し、この係合爪は、上記カバーを上記扉の方向にスライドさせた時に、上記カバーが上記ベースから外れる以前に上記閉じ位置にロックされた扉に突き当たることを特徴とする電子機器。
【請求項７】
請求項６の記載において、上記扉は、上記閉じ位置にて上記カバーの係合爪に引っ掛かる突起を有することを特徴とする電子機器。
【請求項８】
請求項１ないし請求項３のいずれかの記載において、上記扉は、この扉を閉じ位置にロックするロック装置を備えていることを特徴とする電子機器。
【請求項９】
請求項１の記載において、上記筐体は、化粧カバーによって覆われており、この化粧カバーは、上記ベースに固定された第１の化粧体と、この第１の化粧体に取り外し可能に保持され、少なくとも上記カバーを覆う第２の化粧体とを備えていることを特徴とする電子機器。
【請求項１０】
一端に開口を有する筐体と、
上記筐体に収容された機能部品と、
上記筐体の一端に支持され、上記開口を閉じる閉じ位置と、上記開口を開く開き位置との間で回動可能であるとともに、ロック装置を介して上記閉じ位置にロックされる扉と、を具備し、
上記筐体は、上記機能部品および上記扉を支持するベースと、このベースに取り外し可能に連結されたカバーとを含み、このカバーは、上記扉から遠ざかる方向にスライドさせることで上記ベースに引っ掛かるとともに、上記扉の方向にスライドさせることで上記ベースから外れる複数の係合部を有し、上記扉は、上記閉じ位置にロックされている限り、上記カバーの係合部が上記ベースから外れる方向への上記カバーのスライドを制限することを特徴とする電子機器。
【請求項１１】
請求項１０の記載において、上記ベースは、上記係合部が取り外し可能に挿入される複数の係合孔を有することを特徴とする電子機器。
【請求項１２】
請求項１０又は請求項１１の記載において、上記筐体は、化粧カバーによって覆われており、この化粧カバーは、上記ベースに固定された第１の化粧体と、この第１の化粧体に取り外し可能に保持され、少なくとも上記カバーを覆う第２の化粧体とを有し、上記カバーおよび上記第２の化粧体は、共通のねじを介して上記ベースに固定されていることを特徴とする電子機器。
【発明の詳細な説明】
【０００１】
【発明の属する技術分野】
本発明は、例えばハードディスク駆動装置のような機能部品を内蔵した筐体を有する電子機器に係り、特にその筐体の構造に関する。
【０００２】
【従来の技術】
大容量のデータを取り扱うサーバのような電子機器は、箱形の筐体を備えている。この筐体は、ＣＰＵやメモリが実装されたプリント回路板、ＣＤ−ＲＯＭ駆動装置およびハードディスク駆動装置のような各種の機能部品を内蔵している。ＣＤ−ＲＯＭ駆動装置やハードディスク駆動装置は、筐体の前端部に位置し、この筐体の前面に光ディスクの出し入れやハードディスク駆動装置の増設作業を行うための開口が形成されている。
【０００３】
この種の電子機器では、セキュリティを強化するため筐体の前端にフロント扉が取り付けられている。フロント扉は、筐体の前面を覆う閉じ位置と、筐体の前面を開放する開き位置との間に亘って回動可能であるとともに、ロック装置を介して閉じ位置にロックされるようになっている。フロント扉が閉じ位置にロックされた状態では、このフロント扉によって筐体の前面の開口が覆い隠され、第三者が無闇にＣＤ−ＲＯＭ駆動装置やハードディスク駆動装置にアクセスすることを禁じている。
【０００４】
ところで、電子機器の筐体は、ベースとカバーとで構成されている。ベースは、底板、一対の側板、前板および後板を有し、これら底板、側板および後板とで囲まれる領域に上記機能部品が収められている。カバーは、側板、前板および後板の上縁の間に跨っており、上記機能部品を上方から覆い隠している。このカバーは、側板の上縁に複数のねじを介して固定されている（例えば、特許文献１および特許文献２参照）。
【０００５】
【特許文献１】
特開２００２−２７８６５３号公報（段落番号００３８〜００５５、図９〜図１３）
【０００６】
【特許文献２】
特開２００２−２８０７７８号公報（段落番号００３７〜００４９、図８〜図１２）
【０００７】
【発明が解決しようとする課題】
従来の筐体によると、機能部品を覆い隠すカバーは、ベースに複数のねじを介して固定されているにすぎない。そのため、ねじを弛めてカバーの固定を解除すれば、何人でもカバーを簡単に取り外すことができ、筐体の内部の機能部品に簡単にアクセスし得るような状況となる。
【０００８】
したがって、単にフロント扉を閉じ位置にロックしただけでは、機能部品の盗難を防止したり、重要なデータの流出を避けることができなくなり、セキュリティを強化するといった面で今一歩改善の余地が残されている。
【０００９】
本発明の目的は、閉じ位置にロック可能な扉を利用してカバーの取り外しを阻止することができ、セキュリティの強化に役立つ電子機器を得ることにある。
【００１０】
【課題を解決するための手段】
上記目的を達成するため、本発明の一つの形態に係る電子機器は、
一端に開口を有する筐体と、
上記筐体に収容された機能部品と、
上記筐体の一端に支持され、上記開口を閉じる閉じ位置と、上記開口を開く開き位置との間で移動可能であるとともに、上記閉じ位置にロック可能な扉とを備えている。
上記筐体は、上記機能部品および上記扉を支持するベースと、このベースに取り外し可能に連結されたカバーとを含んでいる。カバーは、上記扉の方向にスライドさせることで上記ベースから外れるとともに、上記扉から遠ざかる方向にスライドさせることで上記ベースに引っ掛かり、上記扉は、上記閉じ位置にロックされている限り、上記カバーが上記ベースから外れる方向への上記カバーのスライドを制限することを特徴としている。
【００１１】
この構成によると、扉が閉じ位置にロックされた状態では、この扉が邪魔となってカバーをベースから外れる方向にスライドさせることができない。このため、カバーの取り外しが阻止され、機能部品を筐体の外部に露出させることができなくなる。
【００１２】
【発明の実施の形態】
以下本発明の実施の形態を図１ないし図７にもとづいて説明する。
【００１３】
図１ないし図３は、電子機器としてのサーバ１を開示している。このサーバ１は、機器本体２を備えている。機器本体２は、中空箱形の筐体３およびフロント扉４とで構成されている。
【００１４】
筐体３は、ベース５およびカバー６を有している。これらベース５およびカバー６は、夫々板金プレス加工された金属板にて構成されている。ベース５は、長方形状の底板５ａ、左右の側板５ｂ，５ｃ、前板５ｄおよび後板５ｅを有している。側板５ｂ，５ｃ、前板５ｄおよび後板５ｅは、底板５ａの縁部から起立している。側板５ｂ，５ｃは、ベース５の幅方向に互いに向かい合っている。
【００１５】
図４に示すように、側板５ｂ，５ｃの上端部に夫々段付き部７とフランジ部８が形成されている。段付き部７は、筐体３の内側に向けてクランク状に僅かに折れ曲がっている。この段付き部７は、筐体３の奥行き方向に一直線状に延びる縁部９を有し、この縁部９に複数の係合孔１０が形成されている。係合孔１０は、スリット状をなすとともに、筐体３の奥行き方向に間隔を存して一列に並んでいる。フランジ部８は、段付き部７から上向きに延びている。このフランジ部８は、上記縁部９の分だけ上記側板５ｂ，５ｃよりも筐体３の内側に偏っている。
【００１６】
カバー６は、長方形状の天板１１を有している。天板１１は、ベース５の側板５ｂ，５ｃ、前板５ｄおよび後板５ｅの上縁の間に跨っている。この天板１１の左右の縁部に下向きに折り曲げられたフランジ部１２ａ，１２ｂが形成されている。フランジ部１２ａ，１２ｂは、側板５ｂ，５ｃのフランジ部８に被さるとともに、その下縁が段付き部７の縁部９と向かい合っている。
【００１７】
図１および図２に示すように、カバー６のフランジ部１２ａ，１２ｂの下縁に係合部としての複数の係合片１３が形成されている。係合片１３は、フランジ部１２ａ，１２ｂの下縁から下向きに張り出すとともに、天板１１の奥行き方向に間隔を存して一列に並んでいる。これら係合片１３は、上記ベース５の係合孔１０に取り外し可能に差し込まれるものであり、夫々フランジ部１２ａ，１２ｂの下縁に沿うように延出する延出部１４を有している。延出部１４は、係合片１３が係合孔１０に差し込まれた状態において、ベース５の前板５ｄから遠ざかる方向に張り出している。図５に示すように、延出部１４を含めた係合片１３の長さＬ１は、上記係合孔１０の長さＬ２よりも僅かに小さくなっている。さらに、この延出部１４とフランジ部１２ａ，１２ｂの下縁との間にスリット状の溝１５が形成されている。
【００１８】
カバー６をベース５に取り付けるには、まず、カバー６の係合片１３をベース５の係合孔１０に挿入する。これにより、カバー６のフランジ部１２ａ，１２ｂがベース５の側板５ｂ，５ｃのフランジ部８に重なり合うとともに、フランジ部１２ａ，１２ｂの下縁が段付き部７の縁部９に突き当たる。
【００１９】
次に、カバー６をベース５の前板５ｄから遠ざかる方向にスライドさせる。このスライドにより、図５に示すように、係合片１３の延出部１４が段付き部７の縁部９の下方に入り込み、この縁部９が溝１５に引っ掛かる。言い換えると、縁部９がフランジ部１２ａ，１２ｂの下縁と延出部１４との間で挟み込まれ、カバー６がベース５に取り外し可能に連結されるようになっている。
【００２０】
このことから、カバー６は、係合片１３の延出部１４がベース５の係合孔１０と向かい合う第１の位置（図６に示す）と、延出部１４が段付き部７の縁部９の下方に入り込む第２の位置（図５に示す）との間に亘ってスライド可能にベース５に被せられている。
【００２１】
図２に示すように、天板１１の後縁に舌片１７が形成されている。舌片１７は、カバー６をベース５に被せた時にベース５の後板５ｅに突き当たるとともに、専用のねじ１８を介して後板５ｅに固定されている。この固定により、ベース５とカバー６との連結が維持され、係合孔１０から係合片１３が抜け出る方向へのカバー６の移動が阻止されている。
【００２２】
図１および図２に示すように、筐体３は、ＣＤ−ＲＯＭ駆動装置２１、電源ユニット２２、拡張ボード２３およびハードディスク駆動装置（図示せず）のような各種の機能部品を内蔵している。これら機構部品は、ベース５に支持されて、その側板５ｂ，５ｃ、前板５ｄおよび後板５ｅによって取り囲まれているとともに、上方からカバー６によって覆われている。
【００２３】
図７に示すように、筐体３の内部にカード収容部２４が設置されている。カード収容部２４は、図示しない複数のＰＣカードを収容するためのものである。カード収容部２４、ＣＤ−ＲＯＭ駆動装置２１およびハードディスク駆動装置は、筐体３の前端部に位置している。このため、筐体３の前壁５ｄには、ＣＤ−ＲＯＭ駆動装置２１のトレイ２１ａやハードディスク駆動装置を出し入れする開口２６と、ＰＣカードをカード収容部２４に出し入れする複数のカードスロット２７ａ，２７ｂが形成されている。
【００２４】
上記フロント扉４は、ベース５の前板５ｄに対応する大きさの長方形状をなしている。このフロント扉４は、図７に示すヒンジ金具２８を介してベース５の底板５ａの前端部に支持されているとともに、閉じ位置と開き位置との間に亘って回動可能となっている。この閉じ位置では、フロント扉４が筐体３の前板５ｄを外から覆うように起立し、開口２６やカードスロット２７ａ，２７ｂと向かい合っている。さらに、開き位置では、フロント扉４が筐体３の前方に向けて水平に倒れ込み、開口２６やカードスロット２７ａ，２７ｂが筐体３の外部に露出している。
【００２５】
フロント扉４は、カード挿入口２９と複数の吸気孔３０とを有している。カード挿入口２９は、フロント扉４を閉じ位置に回動させた時に、カードスロット２７ａ，２７ｂに連なっている。吸気孔３０は、同じくフロント扉４を閉じ位置に回動させた時に、開口２６と向かい合っている。
【００２６】
さらに、フロント扉４には、ロック装置としてのロックシリンダ３１が取り付けられている。ロックシリンダ３１は、図７に示すようなロックレバー３２を有している。ロックレバー３２は、フロント扉４が閉じ位置に回動されている時に、ベース５の前板５ｄに引っ掛かるロック位置と、前板５ｄから離脱するロック解除位置との間に亘って回動可能となっている。このロックレバー３２の回動操作は、サーバ１を管理すべき管理者が保有する図示しないロックキーをロックシリンダ３１に挿し込むことで実行される。
【００２７】
したがって、フロント扉４を閉じ位置に回動させた状態において、ロックキーを用いてロックレバー３２をロック解除位置からロック位置に操作すると、このロックレバー３２が前板５ｄに引っ掛かる。よって、フロント扉４が閉じ位置にロックされ、このフロント扉４を開き位置に回動させることができなくなる。
【００２８】
図５に示すように、フロント扉４が閉じ位置にロックされた状態では、このフロント扉４の内面がカバー６の天板１１の前縁と向かいっている。このフロント扉４と天板１１の前縁との間の隙間ｇは、上記係合片１３を第２の位置から第１の位置にスライドさせる際のカバー６のスライド量Ｓよりも格段に小さくなっている。
【００２９】
カバー６の天板１１は、その前縁から前方に向けて突出する係合爪３４を有している。この係合爪３４の先端は、上記閉じ位置にロックされたフロント扉４の内面に接触もしくは近接している。さらに、フロント扉４は、閉じ位置に回動された時に、上記係合爪３４に上から引っ掛かる突起３５を有している。
【００３０】
この結果、フロント扉４が閉じ位置にある時に、上記カバー６を第２の位置から第１の位置に向けてスライドさせた場合、このカバー６が第２の位置に達する以前に天板１１の前縁がフロント扉４の内面に突き当たる。それとともに、フロント扉４の突起３５が天板１１の係合爪３４に上から引っ掛かっているので、係合片１３を係合孔１０から引き出す方向にカバー５を引き上げることもできなくなる。
【００３１】
したがって、フロント扉４は、閉じ位置にロックされている限り、係合片１３が係合孔１０から外れる方向への上記カバー６のスライドを制限している。
【００３２】
図１ないし図３に示すように、機器本体２の筐体３は、合成樹脂製の化粧カバー４０によって覆われている。化粧カバー４０は、第１の化粧体４１と第２の化粧体４２とを備えている。第１の化粧体４１は、ベース５の底板５ａおよび側板５ｂ，５ｃの下半分を覆っているとともに、側板５ｂ，５ｃに複数のねじ４３を介して固定されている。
【００３３】
第２の化粧体４２は、側板５ｂ，５ｃの上半分およびカバー６を覆っているとともに、第１の化粧体４１に取り外し可能に引っ掛かっている。さらに、第２の化粧体４２は、その後縁にベース５の後板５ｅに重なり合う舌片４４を有している。この舌片４４は、カバー６の舌片１７と対応する位置にあり、上記ねじ１８を利用してベース５の後板５ｅに共締めされている。
【００３４】
このような構成のサーバ１において、筐体３のカバー６をベース５から取り外す手順について説明する。
【００３５】
まず、ねじ１８を弛めて取り外し、ベース５に対する第２の化粧体４２およびカバー６の固定を解除する。次に、第２の化粧体４２を第１の化粧体４１から取り外し、筐体３のカバー６を露出させる。
【００３６】
次に、ロックキーをフロント扉４のロックシリンダ３１に差し込み、このロックキーを介してロックレバー３２をロック位置からロック解除位置に向けて操作する。これにより、ロックレバー３２がベース５の前板５ｄから離脱し、フロント扉４のロックが解除されるので、このフロント扉４を閉じ位置から開き位置に回動させる。フロント扉４が開き位置に回動すると、図６に示すように、フロント扉４がカバー６の前縁から遠ざかるとともに、このフロント扉４の突起３５がカバー６の係合爪３４から離脱する。
【００３７】
次に、カバー６をフロント扉４に向けて第２の位置から第１の位置にスライドさせる。このスライドにより、図６に示すように、係合片１３の延出部１４がベース５の係合孔１０と合致し、この延出部１４を係合孔１０から引き出せる状態に移行する。
【００３８】
最後にカバー６を持ち上げ、係合片１３を係合孔１０から引き抜くことでカバー６の取り外し作業が完了する。
【００３９】
このような構成によれば、フロント扉４が閉じ位置にロックされている状態において、カバー６を第２の位置から第１の位置に向けてスライドさせようとしても、このカバー６が第１の位置に達する以前にカバー６の前縁がフロント扉４に突き当たる。このため、それ以上のカバー６のスライドが制限され、係合片１３の延出部１４が段付き部７の縁部９に引っ掛かったままの状態に保持される。
【００４０】
それとともに、フロント扉４の突起３５がカバー６の係合爪３４に引っかっているので、係合片１３を係合孔１０から引き抜く方向にカバー６を持ち上げることもできない。
【００４１】
この結果、フロント扉４が閉じ位置にロックされている限り、このフロント扉４が邪魔となってカバー６をベース５から取り外すことができず、ＣＤ−ＲＯＭ駆動装置２１のような機能部品を筐体３の外部に露出させたり、この機能部品にアクセスすることができなくなる。
【００４２】
言い換えると、カバー６を取り外せるのは、ロックキーを保有する管理者もしくは管理者から許可を得た者だけに限られる。このため、第三者が無闇に筐体３の内部の機能部品を取り出したり、あるいは機能部品を操作することを未然に防止することができ、サーバ１のセキュリティをより一層強化することができる。
【００４３】
なお、本発明に係る電子機器はサーバに特定されるものではなく、例えばデスクトップ形のパーソナルコンピュータのようなその他の電子機器であっても同様に実施可能である。
【００４４】
【発明の効果】
以上詳述した本発明によれば、閉じ位置にロック可能な扉を利用してカバーの取り外しを阻止することができ、電子機器のセキュリティをより一層強化することができる。
【図面の簡単な説明】
【図１】ベースからカバーを取り外した状態を前側から見た本発明の実施の形態に係るサーバの斜視図。
【図２】ベースからカバーを取り外した状態を後側から見た本発明の実施の形態に係るサーバの斜視図。
【図３】本発明の実施の形態に係るサーバの斜視図。
【図４】ベースの係合孔とカバーの係合片との位置関係を示す本発明の実施の形態に係るサーバの斜視図。
【図５】本発明の実施の形態において、第１の位置にスライドされたカバーと、閉じ位置にロックされたフロント扉との位置関係を示す断面図。
【図６】本発明の実施の形態において、カバーが第２の位置にスライドされた時の係合片と係合孔との位置関係を示す断面図。
【図７】本発明の実施の形態において、カバーが開き位置に回動された状態を示すサーバの斜視図。
【符号の説明】
３…筐体、４…扉（フロント扉）、５…ベース、６…カバー、１３…係合部（係合片）、２１，２２，２３…機能部品（ＣＤ−ＲＯＭ駆動装置、電源ユニット、拡張ボード）、２６…開口、３１…ロック装置（ロックシリンダ）
【図１】
2004265999.tif 000003
【図２】
2004265999.tif 000004
【図３】
2004265999.tif 000005
【図４】
2004265999.tif 000006
【図５】
2004265999.tif 000007
【図６】
2004265999.tif 000008
【図７】
2004265999.tif 000009